(57)【要約】  データサマリー表を作成するためのグラフィカルユーザインターフェースが、複数のフィールドのリストを含むフィールドペインと、複数のゾーンを含むレイアウトペインとを含む。ゾーンは、データサマリー表の領域を表し、レイアウトペインは、フィールドペインからの複数のフィールドのうちのフィールドを前記ゾーンのうちの第１のゾーンに追加することを可能にする。データサマリー表は、フィールドがレイアウトペインに追加されると更新される。
2009508218.tif 000002
【特許請求の範囲】
【請求項１】
データサマリー表を作成するためのグラフィカルユーザインターフェースであって、
複数のフィールドのリストを含むフィールドペインと、
前記データサマリー表の領域を表す複数のゾーンを含むレイアウトペインであって、前記レイアウトペインは、前記フィールドペインからの前記複数のフィールドのうちのフィールドを前記ゾーンのうちの第１のゾーンに追加することを可能にするようにプログラムされる、レイアウトペイントと、
前記フィールドが前記レイアウトペインに追加されると更新されるデータサマリー表とを備えることを特徴とするグラフィカルユーザインターフェース。
【請求項２】
前記フィールドペインおよび前記レイアウトペインは、統合されたタスクペインを形成することを特徴とする請求項１に記載のユーザインターフェース。
【請求項３】
前記レイアウトペインの前記ゾーンは、行ゾーンと列ゾーンと値ゾーンとフィルタゾーンとを含むことを特徴とする請求項１に記載のユーザインターフェース。
【請求項４】
前記フィールドペイン内の前記フィールドに関連するチェックボックスをさらに備え、前記インターフェースは、前記チェックボックスが選択される場合は、前記レイアウトペインおよび前記データサマリー表に前記フィールドを自動的に置くようにプログラムされることを特徴とする請求項１に記載のユーザインターフェース。
【請求項５】
前記インターフェースは、前記チェックボックスが選択解除される場合は。前記レイアウトペインおよび前記データサマリー表から前記フィールドを削除するようにプログラムされることを特徴とする請求項４に記載のユーザインターフェース。
【請求項６】
前記ユーザインターフェースは、前記フィールドを前記フィールドペインから前記レイアウトペインの前記第１のゾーンにドラッグすることを可能にするようにプログラムされることを特徴とする請求項１に記載のユーザインターフェース。
【請求項７】
前記レイアウトペインは、前記フィールドを前記ゾーンのうちの前記第１のゾーンから第２のゾーンに移動することを可能にするようにプログラムされ、前記レイアウトペインは、前記フィールドを前記第１のゾーン内の他のフィールドに対して再配置することを可能にするようにプログラムされることを特徴とする請求項１に記載のユーザインターフェース。
【請求項８】
ユーザインターフェースは、前記フィールドが前記レイアウトペインの前記第１のゾーンに追加されるときに前記データサマリー表を自動的に更新するようにプログラムされることを特徴とする請求項１に記載のユーザインターフェース。
【請求項９】
手動コントロールが選択される場合は前記データサマリー表の手動更新を可能にするようにプログラムされた前記手動コントロールをさらに備えることを特徴とする請求項１に記載のユーザインターフェース。
【請求項１０】
データサマリー表のためのグラフィカルユーザインターフェースを有するコンピュータシステム内で、
複数のフィールドのリストからフィールドを選択すること、
前記データサマリー表の領域を表す複数のゾーンのうちの第１のゾーンに前記フィールドを追加すること、および
前記フィールドが前記レイアウトペインの前記第１のゾーンに追加されるとデータサマリー表を更新することを備えることを特徴とする方法。
【請求項１１】
選択することは、前記フィールドに関連するチェックボックスを選択することをさらに備え、追加することは、前記チェックボックスが選択される場合は、前記フィールドを前記第１のゾーンに自動的に置くことをさらに備えることを特徴とする請求項１０に記載の方法。
【請求項１２】
前記フィールドに関連する前記チェックボックスを選択解除すること、および
前記チェックボックスが選択解除される場合は、前記第１のゾーンおよび前記データサマリー表から前記フィールドを削除することをさらに備えることを特徴とする請求項１１に記載の方法。
【請求項１３】
追加することは、前記フィールドを前記第１のゾーンにドラッグすることをさらに備えることを特徴とする請求項１０に記載の方法。
【請求項１４】
前記フィールドを前記第１のゾーンから第２のゾーンに移動すること、および
前記フィールドが前記第１のゾーンから前記第２のゾーンに移動されるときに前記データサマリー表を更新することをさらに備えることを特徴とする請求項１０に記載の方法。
【請求項１５】
更新することは、手動更新コントロールが選択されると前記データサマリー表を更新することをさらに備えることを特徴とする請求項１０に記載の方法。
【請求項１６】
複数のフィールドのリストからフィールドを選択すること、
前記データサマリー表の領域を表す複数のゾーンのうちの第１のゾーンに前記フィールドを追加すること、および
前記フィールドが前記レイアウトペインの前記第１のゾーンに追加されるとデータサマリー表を更新することを備えるステップを実施するためのコンピュータ実行可能命令を有することを特徴とするコンピュータ読取り可能媒体。
【請求項１７】
選択することは、前記フィールドに関連するチェックボックスを選択することをさらに備え、追加することは、前記チェックボックスが選択される場合は前記フィールドを前記第１のゾーンに自動的に置くことをさらに備えることを特徴とする請求項１６に記載のコンピュータ読取り可能媒体。
【請求項１８】
前記フィールドに関連する前記チェックボックスを選択解除すること、および
前記チェックボックスが選択解除される場合は、前記第１のゾーンおよび前記データサマリー表から前記フィールドを削除することをさらに備えることを特徴とする請求項１７に記載のコンピュータ読取り可能媒体。
【請求項１９】
追加することは、前記フィールドを前記第１のゾーンにドラッグすることをさらに備えることを特徴とする請求項１６に記載のコンピュータ読取り可能媒体。
【請求項２０】
前記フィールドを前記第１のゾーンから第２のゾーンに移動すること、および
前記フィールドが前記第１のゾーンから前記第２のゾーンに移動されるときに前記データサマリー表を更新することをさらに備えることを特徴とする請求項１６に記載のコンピュータ読取り可能媒体。
【発明の詳細な説明】
【背景技術】
【０００１】
データサマリー表は、大量のデータを解析するために使用することができる。データサマリー表の一例は、Ｍｉｃｒｏｓｏｆｔ  Ｃｏｒｐｏｒａｔｉｏｎ社のＥＸＣＥＬ表計算ソフトウェアを使用して生成することができるＰＩＶＯＴＴＡＢＬＥダイナミックビューである。データサマリー表は、データベースプログラムによって提供されるデータ、またはスプレッドシートのデータリスト内にあるデータを表示し要約する効率的なやり方を提供する。ユーザは、データサマリー表のページ、行、列、またはデータ領域内に含めるデータのフィールドを選択することができ、選択されたデータフィールドについて表示される合計、差異、カウントおよび標準偏差などのパラメータを選択することができる。表計算プログラム内から照会することができるデータベース内のデータ、またはリストを含む表計算データは、データサマリー表で解析することができる。
【０００２】
データサマリー表は、データを効率的かつ直観的に解析することができるように設計されているが、初心者ユーザにとってはデータサマリー表の作成自体が大変難しいことであり得る。例えば、一部のプログラムは、ユーザがデータサマリー表を作成する助けとなるウィザードを提供する。これらのウィザードは最初のデータサマリー表の作成の際には有用であり得るが、それが作成されると、ウィザードは、表示を修正するためには容易に使用することができない。他のプログラムは、ユーザが所望のフィールドをデータサマリー表に直接にドラッグアンドドロップすることを可能にする。これらのプログラムは、表示を作成するときにユーザに柔軟性の向上をもたらすが、こうしたプログラムは、初心者が使用するにはあまり直観的でないことがある。
【０００３】
【特許文献１】米国特許出願第１１／１５７６３４号明細書
【発明の開示】
【課題を解決するための手段】
【０００４】
この要約は、以下の詳細な説明でさらに述べられる選択された概念について簡略化された形で述べるために提供されている。この要約は、特許請求の範囲に記載された主題の主な特徴または本質的な特徴を識別するためのものではなく、また特許請求の範囲に記載された主題の範囲を定める助けとして使用するためのものでもない。
【０００５】
一態様によれば、データサマリー表を作成するためのグラフィカルユーザインターフェースが、複数のフィールドのリストを含むフィールドペインと、データサマリー表の領域を表す複数のゾーンを含むレイアウトペインとを含み、レイアウトペインは、フィールドペインからの複数のフィールドのうちのフィールドを前記ゾーンのうちの第１のゾーンに追加することを可能にするようにプログラムされる。データサマリー表は、フィールドがレイアウトペインに追加されると更新される。
【０００６】
別の態様によれば、データサマリー表のためのグラフィカルユーザインターフェースを有するコンピュータシステム内で、方法が、複数のフィールドのリストからフィールドを選択すること、データサマリー表の領域を表す複数のゾーンのうちの第１のゾーンにフィールドを追加すること、およびフィールドがレイアウトペインの第１のゾーンに追加されるとデータサマリー表を更新することを含む。
【０００７】
別の態様によれば、コンピュータ読取り可能媒体が、複数のフィールドのリストからフィールドを選択すること、データサマリー表の領域を表す複数のゾーンのうちの第１のゾーンにフィールドを追加すること、およびフィールドがレイアウトペインの第１のゾーンに追加されるとデータサマリー表を更新することを含むステップを実施するためのコンピュータ実行可能命令を含む。
【０００８】
次に、添付の図面に言及する。図面は、必ずしも一定の尺度で作られていない。
【発明を実施するための最良の形態】
【０００９】
次に、添付された図面を参照して、本発明の実施形態について以下により完全に述べる。本明細書に開示された実施形態は、例示的なものであり、限定的なものと解釈すべきではなく、これらの実施形態は、この開示が徹底的であり完全となるように提供されている。同じ番号は、全体を通して同様の要素に言及する。
【００１０】
本明細書に示された実施形態は、コンピュータシステム上でデータを解析するために使用されるデータサマリー表に関する。
【００１１】
次に図１を参照すると、例示的なコンピュータシステム１００が示されている。図１に示されたコンピュータシステム１００は、例えばデスクトップコンピュータ、ラップトップコンピュータおよび携帯型コンピュータなど、様々な形を取ることができる。さらに、コンピュータシステム１００が示されているが、本明細書に開示されたシステムおよび方法は、様々な代替のコンピュータシステム内でも同様に実装することができる。
【００１２】
システム１００は、処理装置１０２と、システムメモリ１０４と、システムメモリ１０４を含めて様々なシステム構成要素を処理装置１０２に結合するシステムバス１０６とを含む。システムバス１０６は、メモリバス、周辺バス、および様々なバスアーキテクチュアのいずれかを使用したローカルバスを含めて、複数のタイプのバス構造のいずれかであり得る。システムメモリは、読出し専用メモリ（ＲＯＭ：ｒｅａｄ  ｏｎｌｙ  ｍｅｍｏｒｙ）１０８とランダムアクセスメモリ（ＲＡＭ：ｒａｎｄｏｍ  ａｃｃｅｓｓ  ｍｅｍｏｒｙ）１１０とを含む。コンピュータ１００内の要素間で情報を転送するのに役立つ基本ルーチンを含む基本入出力システム（ＢＩＯＳ：ｂａｓｉｃ  ｉｎｐｕｔ／ｏｕｔｐｕｔ  ｓｙｓｔｅｍ）１１２は、ＲＯＭ１０８に格納される。
【００１３】
コンピュータシステム１００はさらに、ハードディスクから読み出し、またそれに書き込むためのハードディスクドライブ１１２と、取外し可能磁気ディスク１１６から読み出しまたはそこに書き込む磁気ディスクドライブ１１４と、ＣＤ−ＲＯＭ、ＤＶＤなどの取外し可能光ディスク１１９または他の光学媒体から読み出しまたはそこに書き込むための光ディスクドライブ１１８とを含む。ハードディスクドライブ１１２、磁気ディスクドライブ１１４および光ディスクドライブ１１８は、それぞれハードディスクドライブインターフェース１２０、磁気ディスクドライブインターフェース１２２、および光学ドライブインターフェース１２４によってシステムバス１０６に接続される。ドライブおよびその関連するコンピュータ記憶読取り可能媒体は、コンピュータ読取り可能命令、データ構造体、プログラム、およびコンピュータシステム１００のための他のデータの不揮発性記憶域を提供する。
【００１４】
本明細書で述べられた例示的な環境は、ハードディスク１１２、取外し可能磁気ディスク１１６および取外し可能光ディスク１１９を使用することができるが、例示的なシステム１００内では、データを格納することができる他のタイプのコンピュータ読取り可能媒体を使用することができる。例示的な動作環境内で使用することができるこれらの他のタイプのコンピュータ読取り可能媒体の例には、磁気カセット、フラッシュメモリカード、デジタルビデオティスク、ベルヌーイカートリッジ、ランダムアクセスメモリ（ＲＡＭ）および読出し専用メモリ（ＲＯＭ）が含まれる。
【００１５】
オペレーティングシステム１２６、１つまたは複数のアプリケーションプログラム１２８、他のプログラムモジュール１３０およびプログラムデータ１３２を含めて、複数のプログラムモジュールをハードディスク１１２、磁気ディスク１１６、光ディスク１１９、ＲＯＭ  １０８、ＲＡＭ  １１０に格納することができる。
【００１６】
ユーザは、例えばキーボード１３４、マウス１３６または他のポインティング装置などの入力装置を用いて、コンピュータシステム１００にコマンドおよび情報を入力してもよい。他の入力装置の例には、ツールバー、メニュー、タッチスクリーン、マイクロホン、ジョイスティック、ゲームパッド、ペン、衛星放送アンテナおよびスキャナが含まれる。これらおよび他の入力装置はしばしば、システムバス１０６に結合されたシリアルポートインターフェース１４０を介して処理装置１０２に接続される。しかし、これらの入力装置は、パラレルポート、ゲームポートまたはユニバーサルシリアルバス（ＵＳＢ：ｕｎｉｖｅｒｓａｌ  ｓｅｒｉａｌ  ｂｕｓ）など、他のインターフェースによって接続することもできる。ＬＣＤディスプレイ１４２または他のタイプの表示装置も、ビデオアダプタ１４４などのインターフェースを介してシステムバス１０６に接続される。ディスプレイ１４２に加えて、コンピュータシステムは一般に、スピーカおよびプリンタなど、他の周辺出力装置（図示せず）を含むことができる。
【００１７】
コンピュータシステム１００は、リモートコンピュータ１４６など、１つまたは複数のリモートコンピュータへの論理接続を使用して、ネットワーク化された環境内で動作してもよい。リモートコンピュータ１４６は、コンピュータシステム、サーバ、ルータ、ネットワークＰＣ、ピアデバイスまたは他の一般的なネットワークノードであってもよく、コンピュータシステム１００に関して上記で述べた要素の多くまたはすべてを一般に含む。ネットワーク接続は、ローカルエリアネットワーク（ＬＡＮ：ｌｏｃａｌ  ａｒｅａ  ｎｅｔｗｏｒｋ）１４８と、広域ネットワーク（ＷＡＮ：ｗｉｄｅ  ａｒｅａ  ｎｅｔｗｏｒｋ）１５０とを含む。こうしたネットワーキング環境は、オフィス、企業規模のコンピュータネットワーク、イントラネットおよびインターネットでは一般的である。
【００１８】
ＬＡＮネットワーキング環境内で使用されるとき、コンピュータシステム１００は、ネットワークインターフェースまたはアダプタ１５２を介してローカルエリアネットワーク１４８に接続される。ＷＡＮネットワーキング環境内で使用されるとき、コンピュータシステム１００は一般に、モデム１５４、あるいはインターネットなどの広域ネットワーク１５０を介して通信を確立するための他の手段を含む。内部にあることも、外部にあることもあるモデム１５４は、シリアルポートインターフェース１４０を介してシステムバス１０６に接続される。ネットワーク化された環境では、コンピュータシステム１００に関して示されたプログラムモジュール、またはその一部は、リモートメモリ記憶装置に格納してもよい。示されたネットワーク接続は、例示的なものであり、コンピュータ間の通信リンクを確立する他の手段を使用してもよいことが理解されよう。
【００１９】
本明細書で述べられた諸実施形態は、コンピューティングシステム内の論理操作として実装することができる。論理操作は、（１）コンピュータシステム上で実行されるコンピュータ実装ステップのシーケンスまたはプログラムモジュール、および（２）コンピューティングシステム内で実行される相互接続された論理またはハードウェアモジュールとして実装することができる。この実装形態は、特定のコンピューティングシステムの性能要件に依存する選択の問題である。したがって、本明細書で述べられた諸実施形態を構成する論理操作は、操作、ステップまたはモジュールと呼ばれる。これらの操作、ステップおよびモジュールは、本明細書に添付された特許請求の範囲中に述べられた本発明の精神および範囲から逸脱せずに、ソフトウェア、ファームウェア、特別目的のデジタル論理、およびその任意の組合せで実装してもよいことが当業者には理解されよう。このソフトウェア、ファームウェア、またはコンピュータ命令の類似のシーケンスは、符号化され、コンピュータ読取り可能記憶媒体内に格納されてもよく、またコンピューティング装置内で送信するために搬送波信号中で符号化されることもできる。
【００２０】
次に図２を参照すると、例示的なプログラム２００が示されている。一実施例では、プログラム２００は、上記で述べられたコンピュータシステム１００などのコンピュータシステム上で実行されるＭｉｃｒｏｓｏｆｔ社のＥＸＣＥＬ表計算ソフトプログラムである。プログラム２００は、データ２１０の例示的なリストを伴うスプレッドシート２０５を含む。ユーザは、データ２１０から、データサマリー表を作成することができる。
【００２１】
例えば、次に図３を参照すると、プログラム２００の例示的なユーザインターフェース３０２が示されている。ユーザインターフェース３０２は、初期データサマリー表３２０（図３ではデータサマリー表３２０は空白である）を含む。データサマリー表３２０は、様々なソースからのデータから作成することができる。図３に示された一実施例では、以下にさらに述べられるように、データサマリー表３２０は、１つまたは複数のデータベースからのデータから作成することができる。他の実施形態では、データサマリー表３２０は、図２に示されたデータ２１０など、スプレッドシート内のデータから作成することができる。
【００２２】
プログラム２００のユーザインターフェース３０２は、データサマリー表３２０を作成し修正するために使用することができる例示的なタスクペイン４５０をも含む。例えば、タスクペイン４５０は、データ２１０からのフィールドのリストを含む。ユーザは、以下にさらに述べられるように、データサマリー表３２０を作成するために、タスクペイン４５０からフィールドを選択し、また選択解除することができる。
【００２３】
Ｉ．タスクペイン
次に図４を参照すると、例示的なタスクペイン４５０が示されている。タスクペイン４５０は一般に、フィールドペイン４５２とレイアウトペイン４５４とを含む。以下にさらに述べられるように、タスクペイン４５０は、データサマリー表３２０を作成し修正するために使用される。
【００２４】
フィールドペイン４５２は、所与のデータベースまたはスプレッドシート（例えば上記の図２に示されたスプレッドシート２０５など）内の各フィールドのリスト４５３を含む。フィールドのリスト４５３がフィールドペイン４５２によって提供されたスペースより長いので、スクロールバー４５１が提供される。一部の実施形態では、フィールドペイン４５２（およびレイアウトペイン４５４もまた）、ユーザによってサイズ変更することができる。リスト４５３内の各フィールドは、フィールドの隣にチェックボックスを含む。例えば、フィールド「Ｐｒｏｆｉｔ（利益）」は、フィールドキャプションに隣接して置かれたチェックボックス４６０を含む。以下で述べられるようにリスト４５３内フィールドがレイアウトペイン４５４に追加されるとき、フィールドに関連するチェックボックスがチェックされる。例えば、「Ｐｒｏｆｉｔ」フィールドのチェックボックス４６０は、レイアウトペイン４５４に追加されているのでチェックされている。
【００２５】
レイアウトペイン４５４は、タスクペイン４５０を使用して作成されるデータサマリー表３２０の態様を表す複数のゾーンを含む。例えば、レイアウトペイン４５４は、行ゾーン４５５と、列ゾーン４５６と、値ゾーン４５７と、フィルタゾーン４５８とを含む。行ゾーン４５５は、結果として生じるデータサマリー表３２０の行ラベルを定義する。列ゾーン４５６は、データサマリー表３２０の列ラベルを定義する。値ゾーン４５７は、データサマリー表３２０上で要約される（例えば集約、変動など）データを識別する。フィルタゾーン４５８は、他のゾーン４５５、４５６、４５７内の他のすべてのフィールドに適用されるフィルタリングの選択を可能にする（例えば、あるフィールドをフィルタゾーン４５８に置くことができ、レイアウトペイン４５４内の他のすべてのフィールドについて、フィルタゾーン４５８内のフィールドについて選択されたアイテム（複数可）に関連するアイテムだけを示すためのフィルタを作成するために、フィルタゾーン４５８内のそのフィールドに関連する１つまたは複数のアイテムを選択することができる）。
【００２６】
データサマリー表３２０を作成し修正するために、フィールドペイン４５２からのフィールドのうちの１つまたは複数が、レイアウトペイン４５４のゾーンのうちの１つまたは複数に追加される。示された実施例では、ユーザは、データサマリー表３２０にフィールドを追加するために、フィールドペイン４５２のリスト４５３からのフィールドをクリックし、レイアウトペイン４５４のゾーンのうちの１つにドラッグアンドドロップすることができる。
【００２７】
例えば、図５に示されるように、ユーザは、「Ｓｔｏｒｅ  Ｓａｌｅｓ（店舗売上高）」フィールド４６６など、フィールドペイン４５２内に含まれた特定フィールドの上でホバーすることができる。ユーザがフィールド上でホバーするとき、十字形のカーソル４７２がユーザに提示され、この十字形のカーソルは、ユーザが選択されたフィールドをクリックし、フィールドペイン４５２からレイアウトペイン４５４のゾーンのうちの１つにドラッグできることを示す。ユーザがフィールドを選択すると、十字形カーソル４７２は通常のカーソルに戻り、示されるように、「Ｓｔｏｒｅ  Ｓａｌｅｓ」フィールド４６６を値ゾーン４５７にドラッグアンドドロップすることができる。フィールドは同様に、レイアウトペイン４５４からフィールドを選択しドラッグすることによってレイアウトペイン４５４から削除することができる。
【００２８】
別の実施例では、ユーザは、レイアウトペイン４５４にフィールドを追加するために、フィールドペイン４５２内の特定のフィールドに関連するチェックボックスをチェックすることができる。例えば、ユーザが、図４のタスクペイン４５０内に示された「Ｐｒｏｆｉｔ」フィールドに関連するチェックボックス４６０を選択する場合、このフィールドは、値ゾーン４５７に、「Ｐｒｏｆｉｔ」フィールド４６２として追加することができる。以下にさらに述べられるように、プログラム２００は、選択されたフィールドを解析し、レイアウトペイン４５４の適切なゾーン内に置くようにプログラムされることができる。ユーザは同様に、レイアウトペイン４５４からフィールドを削除するために、チェックされたフィールドを選択解除することができる。例えば、ユーザがチェックボックス４６０を選択解除する場合、「Ｐｒｏｆｉｔ」フィールド４６２は、レイアウトペイン４５４から削除される。
【００２９】
オプションの実施例では、ユーザがドロップゾーン４５４のゾーンのうちの１つにフィールドをドラッグしないでフィールドを選択するために所与のフィールドをクリックする場合、ユーザがフィールドをどのゾーンに置くか選択することを可能にするメニュー（例えば図６に示されたメニュー４８２に類似する）がユーザに提示され得る。
【００３０】
次に図７を参照すると、フィールドペイン４５２からのフィールドをレイアウトペイン４５４のゾーンに追加するための例示的な方法５００が示されている。操作５０１で、ユーザは、レイアウトペイン４５４に追加する、フィールドペイン４５２内にリストされたフィールドを選択する。操作５０２で、ユーザが特定のフィールドに関連するチェックボックスを選択したかどうか決定される。ユーザがチェックボックスを選択した場合は、制御は操作５０３にわたされ、プログラム２００は、選択されたフィールドをレイアウトペイン４５４のどのゾーンに置くか自動的に決定することができる。次に、操作５０７で、フィールドは、レイアウトペイン４５４の適切なゾーンに追加される。
【００３１】
操作５０２で、ユーザがチェックボックスを選択していないと決定される場合は、制御は操作５０４にわたされる。操作５０４で、ユーザがフィールドを選択して、レイアウトペイン４５４のゾーンのうちの１つにドラッグアンドドロップしたか決定される。ユーザがフィールドをレイアウトペイン４５４のゾーンのうちの１つにドロップしている場合は、制御は操作５０７にわたされ、フィールドはそのゾーンに追加される。
【００３２】
操作５０４で、ユーザがフィールドをドラッグアンドドロップしていないと決定される場合は、オプションの実施形態では、ユーザがチェックボックスを選択せずに、またはフィールドをレイアウトペイン４５４のゾーンにドラッグ／ドロップせずにフィールドを選択しているので、制御は操作５０５にわたされる。操作５０５で、プログラム２００は、フィールドを追加するゾーンをユーザが選択することを可能にするために、ユーザにメニューを提示する。次いで、操作５０６で、ユーザは、所望のゾーンを選択する。操作５０７で、フィールドはそのゾーンに追加される。
【００３３】
フィールドがレイアウトペイン４５４のゾーンに追加されると、制御は操作５０９にわたされ、下記に述べられるように、プログラム２００は、データサマリー表３２０をそれに応じて更新する。
【００３４】
図４を再び参照すると、フィールドペイン４５２からの「Ｐｒｏｆｉｔ」フィールドなどのフィールドがレイアウトペイン４５４のゾーンのうちの１つに追加されると、フィールドペイン４５２内のそのフィールドに関連するチェックボックス（例えばチェックボックス４６０）が、そのフィールドがデータサマリー表３２０の一部であることを示すためにチェックされる。さらに、フィールドペイン４５２内のフィールドに関連するフィールドラベルのフォントは、太字にされる。同様に、フィールドがデータサマリー表３２０の一部にまだなっていない（またはそこから削除されている）場合は、そのフィールドに関連するチェックボックスはチェックされないままであり、フィールドは、太字ではなく通常のフォントで示される。データサマリー表３２０の一部であるフィールドを示すための他の方法を使用することもできる。
【００３５】
フィールドが追加され、またタスクペイン４５０のレイアウトペイン４５４から削除されるとき、結果として生じるデータサマリー表３２０は、それに応じて修正される。例えば、ユーザには最初、図３に示されるように、フィールドペイン４５２を含むタスクペイン４５０が提示される。図８を参照すると、ユーザが「Ｐｒｏｆｉｔ」フィールドをレイアウトペイン４５４のゾーン４５７に追加するとき、「Ｐｒｏｆｉｔ」フィールドに関連するデータの合計が、データサマリー表３２０に自動的に追加される。図９を参照すると、ユーザは、追加のフィールド（例えば「Ｓａｌｅｓ  Ａｖｅｒａｇｅ（平均売上高）」、「Ｃｕｓｔｏｍｅｒｓ（顧客）」、「Ｇｅｎｄｅｒ（性別）」）をレイアウトペイン４５４のゾーンに追加することができ、データサマリー表３２０は、追加されたフィールドに関するデータを含むように更新される。
【００３６】
図１０を参照すると、ユーザは、フィールドをあるゾーンからタスクペイン４５０のレイアウトペイン４５４内の別のゾーンに移動することもでき、データサマリー表３２０は、それに応じて更新される。例えば、ユーザは、「Ｇｅｎｄｅｒ」フィールドを列ゾーン４５６から行ゾーン４５５に移動することができ、データサマリー表３２０は、その変更を反映するように自動的に更新される。ユーザは、データサマリー表３２０内にフィールドが表示される順序を変更するために、所与のゾーン４５５、４５６、４５７、４５８内のフィールドを移動することもできる。例えば、ユーザは、データサマリー表３２０内で「Ｇｅｎｄｅｒ」フィールドが「Ｃｕｓｔｏｍｅｒ」フィールドの前に示されるように、行ゾーン４５５内で「Ｇｅｎｄｅｒ」フィールドを「Ｃｕｓｔｏｍｅｒ」フィールドの上に移動することができる。
【００３７】
次に図６を参照すると、一実施例では、ユーザがフィールドをドラッグせずに、レイアウトペイン４５４内にある「Ｐｒｏｄｕｃｔ  Ｃａｔｅｇｏｒｉｅｓ（製品カテゴリ）」フィールド４８１などのフィールドをクリックし解放する場合、ユーザがレイアウトペイン４５４内のフィールドの配置を操作することを可能にするメニュー４８２がユーザに提示される。例えば、メニュー４８２は、ユーザが所与のゾーン内のフィールドの位置を変更し（すなわち「Ｍｏｖｅ  Ｕｐ（上に移動）」、「Ｍｏｖｅ  Ｄｏｗｎ（下に移動）」、「Ｍｏｖｅ  ｔｏ  Ｂｅｇｉｎｎｉｎｇ（最初に移動）」、「Ｍｏｖｅ  ｔｏ  Ｅｎｄ（最後に移動）」）、フィールドをゾーン間で移動し（すなわち「Ｍｏｖｅ  ｔｏ  Ｒｏｗ  Ｌａｂｅｌｓ（行ラベルに移動）」、「Ｍｏｖｅ  ｔｏ  Ｖａｌｕｅｓ（値に移動）」、「Ｍｏｖｅ  ｔｏ  Ｃｏｌｕｍｎ  Ｌａｂｅｌｓ（列ラベルに移動）」、「Ｍｏｖｅ  ｔｏ  Ｒｅｐｏｒｔ  Ｆｉｌｔｅｒ（レポートフィルタに移動）」）、フィールドをレイアウトペイン４５４から削除する（すなわち「Ｒｅｍｏｖｅ  Ｆｉｅｌｄ（フィールドを削除）」）ことを可能にする。特定のフィールドに使用可能なオプションだけがメニュー４８２内のアクティブな選択肢として示される（例えば、「Ｍｏｖｅ  ｔｏ  Ｒｏｗ  Ｌａｂｅｌｓ」はこの実施例では、フィールド４８１が既に行ゾーン４５５にあるので、非アクティブとして示されている）。
【００３８】
図４を再び参照すると、タスクペイン４５０は、手動更新チェックボックス４６９をも含んでいる。チェックボックス４６９が選択されるとき、結果として生じるデータサマリー表３２０は、フィールドが追加され、再配列され、タスクペイン４５０のレイアウトペイン４５４から削除されるとき、自動的には更新されない。例えば、ユーザが手動更新チェックボックス４６９を選択し、次いで、レイアウトペイン４５４の行ゾーン４５５にフィールドを追加する場合、データサマリー表３２０は、新しく追加されたフィールドを反映するように自動的には更新されない。そうではなく、更新は、変更が行われるとアクティブになる手動更新ボタン４７１をユーザが選択した後に行われ、手動更新が実施されることができる。手動更新は、データサマリー表３２０の作成のためにかなりの取出しおよび処理時間を要する大量のデータを扱うときに効率を向上させるために使用することができる。このようにして、所望のフィールドおよびフィルタリングをデータサマリー表３２０の作成または修正の前に選択することができ、この作成または修正は、手動更新ボタン４７１が選択されると行われ、それによって効率が向上する。
【００３９】
図１１を参照すると、フィールドペイン４５２内に示されたフィールドが、「オンライン解析処理」（ＯＬＡＰ：ｏｎｌｉｎｅ  ａｎａｌｙｓｉｓ  ｐｒｏｃｅｓｓｉｎｇ）タイプのデータフィールドを表している。（それとは対照的に、図５のフィールドペイン４５２内に示されたフィールドは、リレーショナルフィールドと呼ばれることがある非ＯＬＡＰタイプである。）ＯＬＡＰは、データベース内に格納されたデータの解析を提供するツールのカテゴリである。ＯＬＡＰツールは、ユーザが多次元のデータのそれぞれ異なる次元を解析することを可能にする。ＯＬＡＰデータフィールドは、複数のレベルを有する階層構造で配列される。例えば、「Ｓａｌｅｓ  Ｆａｃｔ  １９９１（売上データ１９９１年）」フィールドは、サブフィールド「Ｓｔｏｒｅ  Ｓａｌｅｓ」と、「Ｕｎｉｔ  Ｓａｌｅｓ（売上数）」と、「Ｓｔｏｒｅ  Ｃｏｓｔ（店舗コスト）」とを含む。サブフィールドは、サブフィールドを展開し、また折りたたむためのドリルインジケータ（プラス／マイナス、＋／−符号）５５６をクリックすることによってアクセスすることができる。ＯＬＡＰデータは、階層およびメジャーを有するディメンションに配列することができる。
【００４０】
示された実施形態では、フィールドペイン４５２内にリストされた各フィールドは、複数の構成要素を含む。フィールドは、フィールド上をホバーしまたはクリックすることによって強調させることができる。例えば、図１１に示される「Ｐｒｏｄｕｃｔ（製品）」フィールドなどの各フィールドは、ユーザがフィールドを選択しドラッグすることを可能にする選択領域５５８、５５９を含む。各フィールドは、データサマリー表３２０からフィールドを追加し／削除するために使用することができるチェックボックス５６０をも含む。さらに、ＯＬＡＰデータタイプの各フィールドは、フィールドに関連するサブフィールドを展開し、また折りたたむために使用されるドリルインジケータ５５６を含むことができる。さらに、各フィールドは、以下にさらに述べられるように、フィルタリングオプションにアクセスするために使用されるドロップダウン領域５６２を含む。
【００４１】
図４を再び参照すると、タスクペイン４５０は、ユーザがタスクペイン４５０のレイアウトを修正することを可能にするコントロール４７０をも含む。例えば、図１２に示されるように、ユーザは、レイアウトメニュー５７２にアクセスするためにコントロール４７０を選択することができる。レイアウトメニュー５７２は、ペイン４５２および４５４を配列するために使用される。例えば、ユーザがコントロール４７０で「Ｆｉｅｌｄｓ  ａｎｄ  Ｌａｙｏｕｔ  ｓｔａｃｋｅｄ（フィールドとレイアウトを積み重ねて）」５７３を選択する場合は、タスクペイン４５０内でフィールドペイン４５２は、図４に示されるように、統合された単一のペインを形成するようにレイアウトペイン４５４上に置かれる。ユーザがコントロール４７０で「Ｆｉｅｌｄｓ  ａｎｄ  Ｌａｙｏｕｔ  ｓｉｄｅ  ｂｙ  ｓｉｄｅ（フィールドとレイアウトを並べて）」５７４を選択する場合は、タスクペイン４５０内でフィールドペイン４５２は、図１３に示されるように、統合された単一のペインを形成するようにレイアウトペイン４５４の横に沿って置かれる。ユーザがコントロール４７０で「Ｆｉｅｌｄｓ  ｏｎｌｙ（フィールドのみ）」５７５を選択する場合は、図１４に示されるようにフィールドペイン４５２が分離して示される。ユーザがコントロール４７０で「Ｌａｙｏｕｔ  ｏｎｌｙ  ２  ｂｙ  ２（２×２のみレイアウト）」５７６を選択する場合は、レイアウトペイン４５４は、図１５に示されるように、２×２個の四角形に配列されたゾーン４５５、４５６、４５７、４５８で分離して示される。ユーザがコントロール４７０で「Ｌａｙｏｕｔ  ｏｎｌｙ  １  ｂｙ  ４（１×４のみレイアウト）」５７７を選択する場合は、レイアウトペイン４５４は、図１６に示されるように、１×４個の四角形に配列されたゾーン４５５、４５６、４５７、４５８で分離して示される。
【００４２】
図５に示される実施例では、フィールドペイン４５２内のフィールドは、アルファベット順でリストされている。図４に示されるものなどのＯＬＡＰタイプデータを含むリストでは、メジャーがまず示され、その後にディメンションがアルファベット順に示される。示された実施例では、ディメンションフォルダは展開した形で示されており、他のすべてのフィールドは折りたたんだ形で示されている。他の配置を使用することもできる。
【００４３】
ＩＩ．レイアウトペイン内のフィールドの自動配置
図４を再び参照すると、ユーザがフィールドに関連するチェックボックスをチェックすることによってフィールドを選択する場合、プログラム２００は、以下に述べるように、選択されたフィールドをレイアウトペイン４５４のゾーンのうちの１つに自動的に置くようにプログラムされる。
【００４４】
一般に、数値タイプのフィールドは値ゾーン４５７に追加され、非数値タイプのフィールドは、レイアウトペイン４５４の行ゾーン４５５に追加される。例えば、数値タイプ（例えば売上金額の数字（ｍｏｎｅｔａｒｙ  ｓａｌｅｓ  ｆｉｇｕｒｅｓ））のフィールドは一般に、集約され、したがって値ゾーン４５７に置かれ、非数値タイプ（例えば製品名）のフィールドは一般に行ラベルとして使用され、したがって、行ゾーン４５５内に自動的に置かれる。
【００４５】
次に図１７を参照すると、選択されたフィールドをレイアウトペイン４５４のゾーンのうちの１つに自動的に追加するための例示的な方法６００が示されている。操作６０１で、ユーザは、例えばフィールドに関連するチェックボックスを使用して、フィールドペイン４５２内のフィールドを選択する。次いで、操作６０２で、フィールドが数値タイプかどうか決定される。フィールドが数値タイプである場合は、制御は操作６０３にわたされ、フィールドは、集約のために値ゾーン４５７に追加される。操作６０２でフィールドが数値タイプでないと決定される場合は、制御は操作６０４にわたされ、フィールドは行ゾーン４５５に追加される。
【００４６】
一部の実施形態では、レイアウトペイン４５４内の別の配置がより適切かどうか決定するために、フィールドを値ゾーン４５７に追加する前に、数値タイプのフィールドをさらに解析することができる。例えば、複数の郵便番号値を含むフィールドは数値タイプであるが、こうしたフィールドを値ゾーン４５７ではなく、行ゾーン４５５に置くことが一般に望ましい。このために、一部の実施形態では数値タイプのフィールドが、レイアウトペイン４５４内の所望の配置を識別するために、データ意味論を使用してさらに解析される。
【００４７】
一実施形態では、値ゾーン４５７ではなく行ゾーン４５５に追加される数値タイプのフィールドを識別するために、以下の例示的な表１などのルックアップテーブルが使用される。
【００４８】
【表１】
2009508218.tif 000003
【００４９】
表１では、以下にさらに述べられるように、列「ＦｉｅｌｄＴｙｐｅＳｔｒｉｎｇ」は、選択されたフィールドのキャプションと比較されるテキスト文字列を含む。示された実施例では、大／小文字を区別しないどんな一致をも識別するために、選択されたフィールドのキャプションが表１のＦｉｅｌｄＴｙｐｅＳｔｒｉｎｇ列の各文字列と比較される。
【００５０】
ＦｉｅｌｄＴｙｐｅＳｔｒｉｎｇ列のテキスト文字列と、選択されたフィールドのキャプションの間に一致がある場合は、フィールド内の数値アイテムが、表１の「ＭｉｎＶａｌｕｅ」および「ＭａｘＶａｌｕｅ」列の値を使用してさらに解析される。ＭｉｎＶａｌｕｅ列の値は、所与のＦｉｅｌｄＴｙｐｅＳｔｒｉｎｇタイプのアイテムのいずれかの最小値を指定する。ＭａｘＶａｌｕｅ列の値は、所与のＦｉｅｌｄＴｙｐｅＳｔｒｉｎｇタイプのアイテムのいずれかの最大値を指定する。特定のＦｉｅｌｄＴｙｐｅＳｔｒｉｎｇタイプについて表１にＭｉｎＶａｌｕｅが定義されていない場合は、数値アイテムがＭａｘＶａｌｕｅ未満の整数かどうか決定される。特定のＦｉｅｌｄＴｙｐｅＳｔｒｉｎｇタイプについてＭａｘＶａｌｕｅが定義されていない場合は、数値アイテムがＭｉｎＶａｌｕｅより大きい整数かどうか決定される。特定のＦｉｅｌｄＴｙｐｅＳｔｒｉｎｇタイプについてＭｉｎＶａｌｕｅもＭａｘＶａｌｕｅも定義されていない場合は、数値アイテムが整数かどうか決定される。
【００５１】
例えば、選択されたフィールドがキャプション「月」を含む場合は、表１が解析され、ＦｉｅｌｄＴｙｐｅＳｔｒｉｎｇの値「月」との一致が識別される。次に、その数値が最小値と最大値、「１」と「１２」（１月から１２月を表す）の範囲にあるかどうか決定するために、フィールドに関連する数値が解析される。一実施形態では、フィールドのすべての数値アイテムがテストされる。他の実施形態では、例えばかなり大きい数の数値アイテムがある場合は、数値アイテムのサンプルだけが、表１の最小値および最大値に対してテストされる。値のすべてが最小値と最大値の範囲内にある場合は、以下にさらに述べられるように、フィールドは、値ゾーン４５７ではなく、行ゾーン４５５に追加される。
【００５２】
表１に示されたテキスト文字列、ならびに最小値および最大値は、例示的なものにすぎず、異なる文字列および値を使用することができる。例えば、テキスト文字列および最小／最大値は、データが生成される地理的な位置に応じて修正することができる（例えば、電話番号値は、地理的な位置により異なり得る）。他の実施形態では、異なるタイプの意味的チェックを使用することができる。例えば、数値アイテムの実際の値のチェックに加えて、またはその代わりに、数値アイテムの桁数を解析することができる。例えば、フィールドのキャプションがテキスト文字列「郵便番号」（すなわちジップコード）に一致する場合は、桁が最小５（例えば「９０２１０」は５桁を含む）と最大１０（例えば「９０２１０−１０５２」は１０桁を含む）の間の範囲内にあるかどうか確かめるために、フィールド内の数値アイテムの桁数を検査することができる。
【００５３】
次に図１８を参照すると、選択されたフィールドをレイアウトペイン４５４内に自動配置するための例示的な方法６１０が示されている。方法６１０は、数値タイプのフィールドがさらに解析されることを除いては、上記で述べられた方法６００に類似する。操作６１１で、ユーザは、例えばフィールドに関連するチェックボックスを使用して、フィールドペイン４５２内のフィールドを選択する。次に、操作６１２で、フィールドが数値タイプかどうか決定される。フィールドが非数値タイプである場合は、制御は操作６１３にわたされ、フィールドは行ゾーン４５５に追加される。
【００５４】
操作６１２でフィールドが数値タイプであると決定される場合は、制御は操作６１５にわたされる。操作６１５で、フィールドのキャプションが解析され、操作６１６で、キャプションが、上記の表１に示されるようなテキスト文字列のルックアップテーブルと比較される。操作６１６でキャプションとテキスト文字列の間で一致しない場合は、制御は操作６１９にわたされ、フィールドは値ゾーン４５７に追加される。操作６１６でキャプションと表１のテキスト文字列の間で一致する場合は、制御は操作６１７にわたされる。
【００５５】
操作６１７で、フィールドの数値アイテムが解析され、操作６１８で、数値アイテムの値が、テキスト文字列に関連する表１の最小値および最大値と比較される。数値アイテムが、上記で述べられた最小値と最大値の範囲外である場合は、制御は操作６１９にわたされ、フィールドは値ゾーン４５７に追加される。操作６１８で数値アイテムが最小値と最大値の範囲内にある場合は、制御は操作６１３にわたされ、フィールドは行ゾーン４５５に追加される。
【００５６】
このようにして、数値タイプの特定フィールドは、自動的に識別され、デフォルトの値ゾーン４５７ではなく、行ゾーン４５５に置かれることができる。フィールドがプログラム２００によってレイアウトペイン４５４の特定のゾーンに自動的に置かれ、ユーザがフィールドを異なるゾーンに置かれることを望む場合は、ユーザは、フィールドを選択し、所望のゾーンにドラッグすることができる。
【００５７】
一部の実施形態では、日付情報に関連するフィールドが識別され、行ゾーン４５５または値ゾーン４５７ではなく、列ゾーン４５６に置かれる。例えば、図１９に示された方法６３０は、操作６１〜６１９を含めて、上記で述べられた方法６１０に類似する。しかし、操作６１８で、数値アイテムが最小値と最大値の範囲内にある場合は、制御は操作６３１にわたされる。操作６３１で、フィールドが日付フィールドかどうか決定される。示された実施例では、この決定は、キャプションが一致するテキスト文字列によって行われる。例えば、フィールドのキャプションがテキスト「日付」を含んでおり、表１のテキスト文字列「日付」に一致される場合は、フィールドは日付フィールドと識別される。フィールドが日付フィールドである場合は、制御は操作６３２にわたされ、フィールドは列ゾーン４５６に追加される。フィールドが日付フィールドでない場合は、制御は操作６１３にわたされ、フィールドは行ゾーン４５５に追加される。
【００５８】
代替の実施形態では、フィールドに関する属性を識別するために、特定のフィールドに関連するメタデータを使用することができる。例えば、フィールドが数値および／または日付フィールドかどうか識別するために、メタデータを使用することができる。
【００５９】
一部の実施形態では、ＯＬＡＰデータを識別するフィールドをレイアウトペイン４５４およびデータサマリー表３２０に自動的に追加するときに、以下の規則が使用される。
【００６０】
Ａ．ＯＬＡＰ階層／ＯＬＡＰ名前付きセット
１．階層は、行ゾーンに追加される
２．階層は、行ゾーンの他のすべてのフィールドの内部でネストされる
３．複数レベルを有する階層について、最高レベルのフィールドがデータサマリー表に表示され、ユーザは、より低いレベルのフィールドを見るためにドリルすることができる
Ｂ．ＯＬＡＰメジャー／ＯＬＡＰ  ＫＰＩ表現
１．少なくとも１つのメジャーが既に追加されている場合は、メジャーは、既に追加されているメジャーと同じゾーンに追加される
２．第２のメジャーを追加すると、レイアウトペイン内にデータフィールド（例えば図１０の「Σ値」フィールドを参照）が生じ、データフィールドはデフォルト設定により列ゾーンに置かれ、値ゾーンに２つ以上のフィールドがある場合は、データフィールドはレイアウトゾーンに表示される
３．データフィールドは、追加されるときに、列ゾーンの他のすべてのフィールドの内部でネストされる
４．データフィールドは、行または列ゾーンに存在する
一部の実施形態では、非ＯＬＡＰデータを識別するフィールド、またはリレーショナルフィールドをレイアウトペイン４５４およびデータサマリー表３２０に自動的に追加するときに、以下の追加の規則が使用される。
【００６１】
Ａ．非数値フィールドでは、フィールドは行ゾーンに追加され、フィールドは、行ゾーンの他のすべてのフィールドの内部でネストされる
Ｂ．数値フィールドでは、フィールドは値ゾーンに追加される
１．少なくとも１つのフィールドが既に値ゾーンにある場合は、このフィールドは、既に追加されているフィールドと同じゾーンに追加される
２．第１のフィールドを値ゾーンに追加すると、レイアウトペインにデータフィールドが生じ、データフィールドはデフォルト設定により列ゾーンに置かれる
３．データフィールドは、追加されるときに、列ゾーンの他のすべてのフィールドの内部でネストされる
４．データフィールドは、行または列ゾーンに存在する。
【００６２】
ＩＩＩ．フィルタリングタスクペイン
図１１を再び参照すると、データサマリー表３２０に含まれる情報を制限するために、特定のフィールドのアイテムに１つまたは複数のフィルタを適用することができる。例えば、ユーザは、フィルタリングタスクペイン７００にアクセスするために、タスクペイン４５０のフィールドペイン４５２にリストされた特定のフィールドのドロップダウン領域５６２を使用することができる。
【００６３】
次に図２０を参照すると、例示的なフィルタリングタスクペイン７００が示されている。インターフェース７００は一般に、フィールドセレクタドロップダウンコントロール７０５と、手動フィルタリング領域７０７と、フィルタリング制御領域７０９とを含む。
【００６４】
セレクタドロップダウンコントロール７０５は、フィルタリングのためのそれぞれ異なるフィールドを選択するために使用することができる。ＯＬＡＰデータでは、フィールドセレクタドロップダウンコントロール７０５内のフィールドは、階層構成で表示することができ、ドロップダウンコントロール７０５は、フィルタリングのためのそれぞれ異なるレベルのＯＬＡＰデータを選択するために使用することができる。示された実施例では、選択されたフィールドは、「Ｃｏｕｎｔｒｙ（国）」フィールドである。
【００６５】
手動フィルタ領域７０７は、セレクタドロップダウンコントロール７０５内に示されたフィールドに関連するアイテムのすべてをリストする。どのアイテムをフィルタに含めるかユーザが手動で選択することを可能にするために、チェックボックスが、手動フィルタ領域７０７にリストされた各アイテムに関連付けられる。図２１を参照すると、ＯＬＡＰデータでは、手動フィルタ領域７０７にリストされた各フィールドに関連するアイテムを展開しまたは折りたたむためのドリルインジケータプラス／マイナス（＋／−）符号をクリックすることによって、サブアイテムにアクセスすることができる。例えば、展開された形では、「Ｄｒｉｎｋ（飲み物）」および「Ｆｏｏｄ（食べ物）」アイテムが示されている。「Ｆｏｏｄ」アイテムについてチェックボックス７１３が選択されており、その結果、「Ｆｏｏｄ」の各サブアイテムも同様に選択されている。「Ｄｒｉｎｋ」アイテムでは、サブアイテム「Ａｌｃｏｈｏｌｉｃ  Ｂｅｖｅｒａｇｅｓ（アルコール飲料）」だけが選択されており、「Ｄｒｉｎｋ」アイテムに関連するチェックボックス７１２には、「Ｄｒｉｎｋ」アイテムのサブアイテムの一部だけが選択されていることを示すために混合インジケータが提供されている。「ｓｅｌｅｃｔ  ａｌｌ（すべて選択）」チェックボックス７１１は、フィルタ領域７０７に示されたすべてのレベルのあらゆるアイテムを選択／選択解除するために選択することができる。
【００６６】
図２０を再び参照すると、ユーザがセレクタドロップダウンコントロール７０５を使用して異なるフィールドを選択するとき、手動フィルタ領域７０７は、セレクタドロップダウンコントロール７０５内に示されたフィールドに関連するアイテムをリストするように、それに応じて更新される。新しく選択されたフィールドがセレクタドロップダウンコントロール７０５で元々選択されているフィールドと同じ階層の別のレベルからのものである場合は、ＯＬＡＰデータについてすべてのレベルのアイテムが手動フィルタ領域７０７に示されているので、手動フィルタ領域７０７は変化しないままである。
【００６７】
フィルタリング制御領域７０９は、セレクタドロップダウンコントロール７０５に示された選択されたフィールドに適用するのに使用可能なフィルタコントロールをリストしている。コントロール７１０は、フィルタリングされたアイテムがリストされる順序をユーザが変更することを可能にする。例えば、ユーザは、フィルタリングされたアイテムをアルファベット順Ａ〜ＺまたはＺ〜Ａにリストさせるために、コントロール７１０のうちの１つを選択することができる。コントロール７１５は、例えば特定のフィールドによるソートなど、追加のソートオプションを提供するために使用される。
【００６８】
ユーザは、ドロップダウンセレクタ７０５内のフィールドへのすべてのフィルタリングを削除するために、コントロール７２０を選択することができる。コントロール７２５および７３０は、ドロップダウンセレクタ７０５内のフィールドに適用する特定のフィルタをユーザが選択することを可能にする。例えば、ユーザがコントロール７２５を選択する場合、図２２に示されたフライアウトメニュー７４０がユーザに提示される。メニュー７４０は、選択されたフィールドに適用することができる複数のフィルタをリストする。メニュー７４０にリストされたフィルタは、ラベルフィールドに一般に適用されるフィルタである。これらのフィルタは、これに限定されないが、「Ｂｅｇｉｎｓ  Ｗｉｔｈ（前方一致）」、「Ｄｏｅｓ  Ｎｏｔ  Ｂｅｇｉｎ  Ｗｉｔｈ（前方不一致）」、「Ｅｎｄｓ  Ｗｉｔｈ（後方一致）」、「Ｄｏｅｓ  Ｎｏｔ  Ｅｎｄ  Ｗｉｔｈ（後方不一致）」、「Ｃｏｎｔａｉｎｓ（含む）」および「Ｄｏｅｓ  Ｎｏｔ  Ｃｏｎｔａｉｎ（含まない）」を含む。ユーザは、メニュー７４０からフィルタを選択して、フィールド内のアイテムにそのフィルタを適用することができる。同様に、ユーザは、コントロール７３０を選択して、図２３に示されたフライアウトメニュー７４５にアクセスすることができる。メニュー７４５は、値フィールド適用することができるフィルタを含む。これらのフィルタは、これに限定されないが、「Ｅｑｕａｌｓ（等しい）」、「Ｄｏｅｓ  Ｎｏｔ  Ｅｑｕａｌ（等しくない）」、「Ｇｒｅａｔｅｒ  Ｔｈａｎ（超）」、「Ｇｒｅａｔｅｒ  Ｔｈａｎ  Ｏｒ  Ｅｑｕａｌ  Ｔｏ（以上）」、「Ｌｅｓｓ  Ｔｈａｎ（未満）」、「Ｌｅｓｓ  Ｔｈａｎ  Ｏｒ  Ｅｑｕａｌ  Ｔｏ（以下）」、「Ｂｅｔｗｅｅｎ（範囲内）」および「Ｎｏｔ  Ｂｅｔｗｅｅｎ（範囲外）」を含む。
【００６９】
次に図２４を参照すると、ユーザがフライアウト７４０、７４５のうちの１つからフィルタを選択するときに、所望のフィルタを構築するためのダイアログボックス７６０などのダイアログボックスがユーザに提示される。ダイアログボックス７６０では、フィールド選択ボックス７７２には、セレクタドロップダウンコントロール７０５内の選択されたフィールドが事前に取り込まれており、フィルタ選択ボックス７７４には、フライアウト７４０と７４５から選択されたフィルタが事前に取り込まれている。ユーザは、例えば、値ゾーン４５７に現在含まれる他のフィールドにアクセスするために、フィールド選択ボックス７７２内のドロップダウンメニューを選択することによって異なるフィールドを選択することができる。ユーザは、データタイプに使用可能なすべてのフィルタのリストを提供するフィルタ選択ボックス７７４内のドロップダウンメニューを選択することによって、異なるフィールドを選択することができる。基準ボックス７７６は、その中でフィルタリングする値をユーザが置くことを可能にする。例えば、ユーザが手動フィルタ領域７０７内の「Ｓｔｏｒｅ  Ｓａｌｅｓ」アイテムを選択し、次いで、フライアウト７４５から「Ｇｒｅａｔｅｒ  Ｔｈａｎ」フィルタを選択する場合、ダイアログボックス７７０がユーザに提示される。ユーザは、＄５０，０００より大きいすべての店舗売上高をフィルタリングするフィルタを設定するために、基準ボックス７７６内に値「５００００」を入力することができる。
【００７０】
次に図２５を参照すると、コントロール７２５および７３０は、セレクタドロップダウンコントロール７０５内に示されたフィールドのタイプに応じて修正することができる。例えば、タスクペイン７００は、データタイプのフィールドを含んでおり、したがって、日付によるフィルタリングを可能にするコントロール７２５と、値によるフィルタリングを可能にするコントロール７３０とを含む。ユーザは、コントロール７２５を選択して、図２６に示されたフライアウトメニュー７６０にアクセスすることができる。フライアウトメニュー７６０は、データタイプのフィールドに適用することができる複数のフィルタを含む。
【００７１】
一部の実施形態では、選択されたフィールドに適用可能なコントロールだけがユーザに提示される。例えば、ユーザが日付でない、非数値タイプのフィールドを選択する場合は、コントロール７２５は、こうしたフィールドに適用可能なフィルタを含むフライアウトメニュー７４０を提供するようにアクティブである。ユーザが日付フィールドを選択する場合は、コントロール７２５は、日付フィールドに適用可能なフィルタを含むフライアウトメニュー７６０を提供するようにアクティブである。ユーザが数値の非データタイプのフィールドを選択する場合は、コントロール７３０は、数値データフィールドに適用可能なフィルタを含むフライアウトメニュー７４５を提供するようにアクティブである。
【００７２】
一部の実施形態では、フィールドがデータサマリー表３２０に追加される前に、フィルタを所与のフィールドに関連付けることができる。フィルタは実際、特定のフィールドがデータサマリー表３２０に追加されるときに適用される。このようにして、アクセスされ、データサマリー表３２０上で要約されるデータ量を減少することができ、それによって効率が向上する。フィルタが、データサマリー表３２０に既に含まれているフィールドに適用される場合、データサマリー表３２０は、フィルタリングされたアイテムだけを示すフィルタを考慮して更新される。
【００７３】
選択されたフィルタをデータに適用することに関する追加の詳細は、その全体が参照により本明細書に組み込まれている、２００５年６月２１日出願の特許文献１、整理番号第１４９１７．０１０８ＵＳ０１／３１１１７８．０１号、「Dynamically Filtering Aggregate Reports Based on Values Resulting from One or More Previously Applied Filter」に見られる。
【００７４】
フィルタリングペイン７００内のチェックボックスインジケータ７５２（図２５参照）は、適用されたいずれかのフィルタに隣接して置かれる。次に図２７を参照すると、フィルタが所与のフィールドに適用されると、そのフィールドにフィルタが適用されていることを示すためにフィルタアイコン８１０が、タスクペイン４５０のフィールドペイン４５２内のフィールドに隣接して示されている。一部の実施形態では、類似のフィルタアイコンが、レイアウトペイン４５４およびデータサマリー表３２０内のフィルタリングされたフィールドにも関連付けられる。
【００７５】
さらに、ポインティング装置が、フィルタアイコン８１０を伴う特定のフィールド上でホバーするときに、図２８に示されるようにツールチップ８３０が提供される。ツールチップ８３０は、３つのセクション、すなわち手動フィルタ、ラベルフィルタおよび値フィルタのうちの１つに、フィルタリングされたフィールドをリストする。またツールチップ８３０は、フィルタリングされたフィールドを、適用されたフィルタのタイプによる評価の順にリストする。より長いラベルを用いたフィルタでは、ラベルの一部は、ツールチップ内に収まるように、必要に応じて切り捨てることができる。各フィルタについて、ツールチップ８３０は、２０００年、２００１年、２００２年、２００３年および２００４年の「Ｙｅａｒ（年）」フィールドに手動フィルタがまず適用されることを示している。ツールチップ８３０は、次いでテキストフィルタが、テキスト「ａｂ」を求めて「Ｐｒｏｄｕｃｔ  Ｎａｍｅ（製品名）」フィールドに適用されることを示している。追加のフィルタリングも、ツールチップ８３０に示されている。このようにして、ユーザは、データサマリー表３２０についてどのフィルタが適用されるか識別することができ、またツールチップ８３０を検査することによって、フィルタの適用順序を識別することもできる。
【００７６】
示された実施例では、ユーザは、フィルタリングタスクペイン７００にアクセスするために、タスクペイン４５０内にリストされた特定のフィールドのドロップダウン領域５６２（図１１参照）を使用することができる。ユーザがデータサマリー表３２０からインターフェース７００にアクセスする場合、セレクタドロップダウンコントロール７０５内に示されたデフォルトのフィールドは、データサマリー表３２０内で現在選択されているフィールドである。ユーザは、セレクタドロップダウンコントロール７０５を使用して別のフィールドを選択することができる。他の実施形態では、フィルタリングタスクペイン７００は、データサマリー表３２０内でドロップダウン領域８６２を選択することによってデータサマリー表３２０の内からアクセスすることもできる（図９参照）。他の実施形態では、ユーザは、データサマリー表３２０内の１つまたは複数のフィールドを選択し、１つまたは複数のフィルタリングオプションにアクセスするためにその選択されたフィールド上で右クリックすることによってフィルタリングタスクペイン７００にアクセスすることができる。これらのオプションは、例えば、手動フィルタで、選択されたフィールドを含めまたは除外すること、または上記で述べられたラベル、日付または値フィルタを使用して、選択されたフィールドをフィルタリングすることを含み得る。
【００７７】
フィルタリングタスクペイン７００がデータサマリー表３２０からアクセスされる場合は、ユーザアクセスインターフェース７００がどこにあるかに基づいて、ドロップダウンコントロール７０５内にリストされたフィールドを選択することができる。例えば、ユーザがデータサマリー表３２０の行のフィールドからドロップダウン領域８６２を選択する場合は、現在行の中にあるすべてのフィールドが示される。そうではなくユーザが、データサマリー表３２０の列のフィールドからドロップダウン領域８６２を選択する場合は、現在列の中にあるすべてのフィールドが示される。
【００７８】
示された実施例では、フィルタリングの情報は、それが適用される特定のフィールドと共に格納される。例えば、データサマリー表３２０の一部でないフィールドにフィルタリングが適用される場合は、フィルタリング情報は、フィールドに関連付けられ、フィールドがデータサマリー表３２０に追加されるときに適用される。同様に、フィルタを伴うフィールドがデータサマリー表３２０から削除される場合は、フィルタ情報は、フィールドが後にデータサマリー表３２０に追加され戻される場合にフィルタが再び適用されるように、フィールドと共に保持される。上記で述べられたように、フィールドへのフィルタリングは、フィルタを選択し、次いでコントロール７２０を選択することによって削除することができる（図２０参照）。
【００７９】
上記で述べられた様々な実施形態は、例示するためだけに示されており、限定的なものと解釈すべきでない。本明細書に示され述べられた例示的な実施形態および適用例に従わずに、また添付の特許請求の範囲に記載された本発明の真の精神および範囲から逸脱せずに、様々な修正および変更を行ってもよいことが当業者には容易に認識されよう。
【図面の簡単な説明】
【００８０】
【図１】例示的な汎用コンピューティングシステムを示す図である。
【図２】表計算プログラムの例示的なシートを示す図である。
【図３】表計算プログラムの例示的なデータサマリー表およびタスクペインを示す図である。
【図４】図３の例示的なタスクペインを示す図である。
【図５】別の例示的なタスクペインを示す図である。
【図６】タスクペインのレイアウトペイン内にフィールドを配置するための例示的なメニューを示す図である。
【図７】図４のタスクペインのレイアウトペイン内にフィールドを配置するための例示的な方法を示す図である。
【図８】表にフィールドが追加されている、図３の例示的なデータサマリー表およびタスクペインを示す図である。
【図９】表に複数のフィールドが追加されている、図３の例示的なデータサマリー表およびタスクペインを示す図である。
【図１０】表の上でフィールドが再配列されている、図９の例示的なデータサマリー表および例示的なタスクペインを示す図である。
【図１１】別の例示的なタスクペインを示す図である。
【図１２】図１１のタスクペインのレイアウトを修正するための例示的なメニューを示す図である。
【図１３】異なるレイアウトの図１１の例示的なタスクペインを示す図である。
【図１４】異なるレイアウトの図１１の例示的なタスクペインを示す図である。
【図１５】異なるレイアウトの図１１の例示的なタスクペインを示す図である。
【図１６】異なるレイアウトの図１１の例示的なタスクペインを示す図である。
【図１７】図４のタスクペインのレイアウトペイン内にフィールドを配置するための例示的な方法を示す図である。
【図１８】図４のタスクペインのレイアウトペイン内にフィールドを配置するための別の例示的な方法を示す図である。
【図１９】図４のタスクペインのレイアウトペイン内にフィールドを配置するための別の例示的な方法を示す図である。
【図２０】例示的なフィルタリングタスクペインを示す図である。
【図２１】別のフィルタリングタスクペインの例示的な手動フィルタリング領域を示す図である。
【図２２】図２０のフィルタリングタスクペインの例示的なフライアウトメニューを示す図である。
【図２３】図２０のフィルタリングタスクペインの別の例示的なフライアウトメニューを示す図である。
【図２４】図２０のフィルタリングタスクペインの例示的なダイアログボックスを示す図である。
【図２５】別の例示的なフィルタリングタスクペインを示す図である。
【図２６】図２５のフィルタリングタスクペインの例示的なフライアウトメニューを示す図である。
【図２７】別の例示的なタスクペインを示す図である。
【図２８】図２７のタスクペインの例示的なツールチップを示す図である。
【図１】
2009508218.tif 000004
【図２】
2009508218.tif 000005
【図３】
2009508218.tif 000006
【図４】
2009508218.tif 000007
【図５】
2009508218.tif 000008
【図６】
2009508218.tif 000009
【図７】
2009508218.tif 000010
【図８】
2009508218.tif 000011
【図９】
2009508218.tif 000012
【図１０】
2009508218.tif 000013
【図１１】
2009508218.tif 000014
【図１２】
2009508218.tif 000015
【図１３】
2009508218.tif 000016
【図１４】
2009508218.tif 000017
【図１５】
2009508218.tif 000018
【図１６】
2009508218.tif 000019
【図１７】
2009508218.tif 000020
【図１８】
2009508218.tif 000021
【図１９】
2009508218.tif 000022
【図２０】
2009508218.tif 000023
【図２１】
2009508218.tif 000024
【図２２】
2009508218.tif 000025
【図２３】
2009508218.tif 000026
【図２４】
2009508218.tif 000027
【図２５】
2009508218.tif 000028
【図２６】
2009508218.tif 000029
【図２７】
2009508218.tif 000030
【図２８】
2009508218.tif 000031
【国際調査報告】
2009508218.tif 000032
2009508218.tif 000033